(57)【要約】【課題】金属物に塗装することなく、防汚および防食する。【解決手段】ＬＮＧプラント設備や発電所等の取水路５に設けられたバースクリーン６は、たとえば炭素鋼や合金鋼（ステンレス鋼等）からなる。直流電源装置１０のプラス端子には、陽極電極１２が接続され、マイナス端子には電位制御装置１１を介してバースクリーン６が接続されている。これにより、バースクリーン６の表面付近はアルカリ性雰囲気となり、海洋生物の忌避効果を生じる。その結果、バースクリーン６に防汚塗料を塗布することなく、バースクリーン６が防汚される。また、電位制御装置１１には基準電極１３が接続され、電位制御装置１１は、基準電極１３によって検知される電位に基づいて、バースクリーン６の電位を防食可能な電位に保持する。これにより、バースクリーン６は陰極防食され、防食塗料を塗布することなく防食される。【選択図】　　　図２
2004002984.tif 000002
【特許請求の範囲】
【請求項１】
海水中に置かれた金属物を防汚および防食する装置であって、
海水中に置かれ、使用される物質によって既知の電位を海水中で有する基準電極と、
海水中に置かれた陽極電極と、
前記金属物、前記基準電極、および前記陽極電極に接続され、前記陽極電極を相対的に高い電位に、前記金属物を相対的に低い電位にするとともに、前記基準電極の電位に基づいて、前記金属物を防食可能な電位にする電源手段と、
を備えている防汚および防食装置。
【請求項２】
請求項１において、
前記電源手段は、前記金属物を、防食可能で、かつ、海水中の生物が前記金属物に付着しない電位、または、海水中の化合物の前記金属物への付着が進行しない電位にする、
防汚および防食装置。
【請求項３】
請求項１または２において、
前記電源手段は、電位制御装置および直流電源装置を有し、
前記直流電源装置は、その陽極端子に前記陽極電極が接続され、かつ、その陰極端子に前記電位制御装置が接続され、
前記電位制御装置は、一方の端子に前記基準電極が接続され、他方の端子に前記金属物が接続され、前記基準電極の電位を検知して、該検知された電位に基づいて前記金属物を前記防食可能な電位にする、
防汚および防食装置。
【請求項４】
請求項３において、
前記電位制御装置は、
前記基準電極の電位を検知する検知手段と、
可変抵抗器と、
前記検知手段により検知された電位に基づいて可変抵抗器の抵抗値を調整し、前記金属物の電位を防食可能な電位に制御する制御部と、
を備えている防汚および防食装置。
【請求項５】
請求項１から４のいずれか１項において、
前記基準電極が銀／塩化銀、または亜鉛により構成される、防汚および防食装置。
【請求項６】
請求項１から５のいずれか１項において、
前記陽極端子は、前記金属物が設けられ、海水を案内する水路の内壁面に塗布された導電塗膜である、防汚および防食装置。
【請求項７】
請求項６において、
前記導電塗膜は、２つの相互に絶縁された第１の部分および第２の部分に分離され、
前記電源手段は、前記第１の部分および前記第２の部分の電気の極性を切り替える極性切替手段を有し、
前記極性切替手段は、前記第１の部分および前記第２の部分の極性を所定の時間間隔で切り替え、前記第１の部分および前記第２の部分のうち、少なくとも陽極の極性を有する部分から前記金属物に電流を通電する、
防汚および防食装置。
【請求項８】
請求項１から７のいずれか１項において、
前記陽極電極と前記金属物とは、該陽極電極から前記金属物へ流入する電流の密度が、前記金属物の各箇所でほぼ一定となる距離に配置される、
防汚および防食装置。
【請求項９】
請求項１から８のいずれか１項において、
前記基準電極は、前記金属物の近傍に配置される、
防汚および防食装置。
【発明の詳細な説明】
【０００１】
【発明の属する技術分野】
本発明は、海水中に置かれた金属物を防汚および防食する装置に関し、特に、金属物に電流を通電することにより防汚および防食する装置に関する。
【０００２】
【従来の技術】
従来、海水中に設置される金属物（たとえばＬＮＧプラント設備や発電所等の取水路に設けられるバースクリーン、ロータリースクリーン等の金属構造物）に海洋生物が付着することを防止（すなわち防汚）するために、金属構造物に防汚塗料を塗布する方法が広く用いられていた（たとえば、特許文献１参照）。しかし、十分な効果を発揮していなかったため、定期的にＬＮＧプラント設備や発電所等のプラントを停止して清掃作業を行い、付着した海洋生物を除去する必要があった。
【０００３】
【特許文献１】
特開昭５９−１５８８１３号公報
【０００４】
また、導電塗膜や貴金属系金属物を陽極として、それに直流電流を流す方法も用いられていた。この防汚方法は、導電塗膜や貴金属系金属物に電流を流すと、海水が電気分解され、陽極表面付近の海水は酸性雰囲気となり、海洋生物の忌避効果が生じることを利用したものである。
しかし、被防汚金属物を陽極にすると、金属が海水に溶け出し、腐食（または発錆）していた。このため、腐食を防止（すなわち防食）するために、金属表面に絶縁性塗料を塗布し、さらにその上に導電性の塗料（たとえばカーボン系の導電物質）を塗布して、電流を流して電解防汚していた。
【０００５】
【発明が解決しようとする課題】
しかし、絶縁性塗料（および導電性塗料）の塗装は、金属物によってはその構造上難しい場合がある。たとえば格子状の構造を有するバースクリーンのように複雑な構造を有する金属物では、未塗装の部分が生じ、そこから腐食するという問題が発生していた。
【０００６】
本発明は、このような状況に鑑みなされたものであり、その目的は、金属物を塗装することなく、防汚および防食することにある。
【０００７】
【課題を解決するための手段】
前記目的を達成するために、本発明による防汚および防食装置は、海水中に置かれた、防汚および防食の対象となる金属物を陰極にして防食電位に維持し、海水中に置かれた陽極電極から該金属物に電流を通電することにより、該金属物を防汚および防食するものである。
【０００８】
すなわち、本発明による防汚および防食装置は、海水中に置かれた金属物を防汚および防食する装置であって、海水中に置かれ、使用される物質によって既知の電位を海水中で有する基準電極と、海水中に置かれた陽極電極と、前記金属物、前記基準電極、および前記陽極電極に接続され、前記陽極電極を相対的に高い電位に、前記金属物を相対的に低い電位にするとともに、前記基準電極の電位に基づいて、前記金属物を防食可能な電位にする電源手段と、を備えている。
【０００９】
本発明によると、海水中に置かれた金属物は、陽極端子に対してマイナスの電位にされるので、金属物の表面付近はアルカリ性雰囲気となる。これにより、海洋生物の忌避効果が生じ、金属物が防汚される。また、陽極端子から金属物に電流が流入するので、金属物は陰極防食される。したがって、金属物に防汚塗料や防食塗料を塗布することなく、金属物の防汚・防食を行うことができる。
【００１０】
好ましくは、前記電源手段は、前記金属物を、防食可能で、かつ、海水中の生物が前記金属物に付着しない電位、または、海水中の化合物の前記金属物への付着が進行しない電位にする。これにより、海水中の生物を忌避でき、あるいは、金属物に海水中の化合物（たとえば炭酸カルシウム、水酸化マグネシウム等）が付着／成長し網目等を塞いでしまうことが防止される。
【００１１】
さらに好ましくは、前記陽極電極と前記金属物とは、該陽極電極から前記金属物へ流入する電流の密度が、前記金属物の各箇所でほぼ一定となる距離に配置される。また、前記基準電極は、前記金属物の近傍に配置される。
【００１２】
本発明の一実施の形態において、前記電源手段は、電位制御装置および直流電源装置を有し、前記直流電源装置は、その陽極端子に前記陽極電極が接続され、かつ、その陰極端子に前記電位制御装置が接続され、前記電位制御装置は、一方の端子に前記基準電極が接続され、他方の端子に前記金属物が接続され、前記基準電極の電位を検知して、該検知された電位に基づいて前記金属物を前記防食可能な電位にする。金属物の電位制御によるシステムについて述べたが、定常状態では電位と電流量に相関があり、電位制御でなく電流量制御も可能である。
【００１３】
前記基準電極は、銀／塩化銀（たとえば銀の表面に塩化銀が付着したもの）、または亜鉛により構成される。
【００１４】
前記陽極電極は、貴金属系の電極、チタン基板に貴金属系電極を担持させた物により構成することもできるし、前記金属物が設けられ、海水を案内する水路の内壁面に塗布された導電塗膜を使用することもできる。後者の場合には、前記導電塗膜は、２つの相互に絶縁された第１の部分および第２の部分に分離され、前記電源手段は、前記第１の部分および前記第２の部分の電気の極性を切り替える極性切替手段を有し、前記極性切替手段は、前記第１の部分および前記第２の部分の極性を所定の時間間隔で切り替え、前記第１の部分および前記第２の部分のうち、少なくとも陽極の極性を有する部分から前記金属物に電流を通電するように構成することもできる。
【００１５】
【発明の実施の形態】
以下、本発明の実施の形態を、発電所の取水路に設けられるバースクリーンの防汚および防食（以下「防汚・防食」と記す。）装置を例にとり説明する。
【００１６】
＜第１の実施の形態＞
図１は、発電所１００の概略構成を示すブロック図である。図２は、発電所１００の取水路５の一部およびバースクリーン６を防汚・防食するための本発明の第１の実施の形態による防汚・防食装置１の構成を示すブロック図である。
【００１７】
発電所１００には、海水を取り込むための取水路５が設けられている。この取水路５の取水口５ａ付近にはカーテンウォール８が設けられている。取水路５の内部には、取水流Ａの下流側に向かうにしたがいバースクリーン６、ロータリースクリーン９、および循環水ポンプ７が設けられている。
【００１８】
バースクリーン６およびロータリースクリーン９は、主として、海水中に含まれるゴミを塞き止め、ゴミが循環水ポンプ７側に進入することを防止するものである。たとえば、バースクリーン６は、鋼（炭素鋼、合金鋼（ステンレス鋼等）、鋳鉄等）からなり、図３の概略斜視図に示すように、外径寸法が縦Ｈ＝１０ｍ、横Ｗ＝５ｍ、厚さ（奥行き）Ｄ＝０．２〜０．３ｍの直方体の形状を有し、その表裏両面に縦０．３ｍ、横０．１ｍ程度の貫通孔６０が複数個形成されている格子形状を有する。この格子形状により、海水中のゴミを塞き止める。
【００１９】
循環水ポンプ７は、海水を汲み上げ、汲み上げた海水を、循環水管５ｂを介してタービン・発電気室５０の復水器５ｃに送り込むものである。送り込まれた海水は発電に使用された後、循環水管５ｄおよび放水口５ｅを介して海洋に戻される。
【００２０】
防汚・防食装置１は、バースクリーン６を防汚・防食するものであり、直流電源装置１０、電位制御装置（電圧制御装置）１１、陽極電極１２、および基準電極１３を有する。電源装置１０および電位制御装置１１は、取水路５の外部に設けられてもよいし、防水された状態で取水路５内に設けられてもよい。また、電位制御装置１１の代わりに電流制御装置を用いることもできる。
【００２１】
直流電源装置１０の陽極端子（＋）はリード線Ｌ１を介して陽極電極１２に接続され、陰極端子（−）はリード線Ｌ２を介して電位制御装置１１に接続されている。電位制御装置１１の一方の端子は基準電極１３に接続され、他方の端子はバースクリーン６に接続されている。
【００２２】
陽極電極１２は、不溶解性の物質（たとえばカーボン、白金、金等）で構成することもできるし、それ以外の導電性物質（たとえば鉄、マグネタイト等）で構成することもできる。なお、陽極電極１１が鉄等のように、海水に溶解する金属である場合には、腐食により減肉するので、定期的に交換されることとなる。
【００２３】
陽極電極１２は、該陽極電極１２から海水を介してバースクリーン６へ流入する電流の電流密度がバースクリーン６の表面の各箇所でほぼ一定となるように、バースクリーン６から所定の距離だけ離して（たとえば数ｍ〜数十ｍの距離をおいて）配置されることが好ましい。なお、陽極電極１２は、取水流Ａによって流されることを防止するために、壁面５１に固定されることが好ましい。
【００２４】
基準電極１３は、バースクリーン６の電位を防食可能な電位（以下「防食電位」という。）とするための基準となる電位を検知するために設けられる。この基準電極１３は、たとえば銀（Ａｇ）／塩化銀（ＡｇＣｌ）、亜鉛（Ｚｎ）等から構成される。なお、基準電極１３が海水により腐食し、減肉した場合には、新たなものに取り替えられることとなる。
【００２５】
基準電極１３は、バースクリーン６と短絡しないように、バースクリーン６から離間させて（すなわちバースクリーン６と基準電極１３との間に海水を介在させて）、取水路５の壁面５１に取り付けられてもよいし、バースクリーン６に絶縁部材を取り付け、この絶縁部材を挟んでバースクリーン６に取り付けられてもよい。ただし、海水抵抗（電気抵抗）の影響を小さくするために、基準電極１３は、バースクリーン６の近傍（たとえば１ｍｍ〜数ｍｍ程度の距離をおいて）配置されることが好ましい。なお、基準電極１３がバースクリーン６の近傍に配置されない場合には、後述する電位制御装置１１により制御されるバースクリーン６の電位は、海水抵抗を考慮して補正した値にされる。
【００２６】
直流電源装置１０は、陽極電極１１（陽極端子）に対してバースクリーン６（陰極端子）をマイナスの電位に保つように電圧を発生し、電流を通電する。すなわち、陽極電極１１は相対的に高い電位に保持され、バースクリーン６は相対的に低い電位に保持される。
【００２７】
直流電源装置１０の電流は、バースクリーン６に流入する電流密度が０．０５〜０．３Ａ／ｍ２（平均電流密度）となる量であることが好ましい。したがって、直流電源装置１０の電圧（すなわち、陽極電極１１とバースクリーン６との間の電位差）Ｖｏｕｔは、海水抵抗を考慮して、この電流密度を達成する値とされる。
【００２８】
電位制御装置１１は、基準電極１３の電位（以下「基準電位」という。）に基づいて、バースクリーン６の電位（すなわち陰極端子の電位）を防食電位に維持するものである。すなわち、基準電極１３は、それに使用される物質によってその物質特有の既知の電位を海水中で有するので、電位制御装置１１は、基準電位を検知することにより、バースクリーン６の防食電位を決定することができ、また、決定した防食電位を安定して維持することができる。
【００２９】
電位制御装置１１は、たとえば、電位制御装置１１は、基準電極１３の電位を検知（または計測、モニタリング）する検知器と、可変抵抗器と、可変抵抗器の抵抗値を制御する制御部とを備えたシーケンサにより構成される。そして、このシーケンサの制御部は、検知器により検知（検出、モニタリング）された基準電極１３の電位に基づいて可変抵抗器の抵抗値を変化させ、電流量を調整することにより、バースクリーン６の電位を防食電位に調整する。
【００３０】
防食電位は、バースクリーンを構成する物質の種類によって異なる。たとえば、バースクリーン６が鋼（炭素鋼）により構成されている場合において、基準電極１３として銀／塩化銀を使用したときは、防食電位は、基準電位（ほぼ０ｍＶ）に対して−７７０［ｍＶ］以下である。ただし、バースクリーン６の電位が低くなりすぎると、バースクリーン６の表面に炭酸カルシウム（ＣａＣＯ３）、水酸化マグネシウム（Ｍｇ（ＯＨ）２）等の海水中の化合物（金属塩）が付着し、堆積成長してやがて貫通孔６０を塞ぐおそれがある。したがって、バースクリーン６の電位は、この付着が進行しない電位以上であることが好ましい。この付着が進行しない電位は、基準電位に対して−１４００ｍＶ以上である。
【００３１】
したがって、バースクリーン６の電位は、基準電位に対して−１４００ｍＶ以上−７７０ｍＶ以下であることが好ましい。
【００３２】
すなわち、電位制御装置１１は、基準電位を検知し、検知した基準電位に対して−１４００ｍＶ以上−７７０ｍＶ以下の範囲の電位に、バースクリーン６の電位（Ｖｂａｒとする。）を維持する。これにより、陽極電極１２の電位（Ｖｐｏｓとする。）は、Ｖｐｏｓ＝Ｖｂａｒ＋Ｖｏｕｔとなる（Ｖｏｕｔは直流電源装置が発生する電圧）。
【００３３】
また、バースクリーン６が鋼（炭素鋼）により構成されている場合において、基準電極１１として亜鉛を使用したときは、基準電位が、塩化銀を使用したときよりも１０５０ｍＶ低くなるので、バースクリーン６の電位は、基準電位に対して−３５０ｍＶ以上＋２８０ｍＶ以下であることが好ましい。
【００３４】
バースクリーン６がステンレス鋼により構成されている場合において、基準電極１３として塩化銀を使用したときは、防食電位は基準電位に対して−６００［ｍＶ］以下である。一方、炭酸カルシウム、水酸化マグネシウム等が堆積成長しない電位は、上記同様に−１４００ｍＶ以上である。したがって、ステンレス製のバースクリーン６の電位は、基準電位に対して−１４００ｍＶ以上−６００ｍＶ以下であることが好ましい。
【００３５】
また、バースクリーン６がステンレス鋼により構成されている場合において、基準電極１３として亜鉛を使用したときは、バースクリーン６の電位は、基準電位１３に対して−３５０ｍＶ以上＋４５０ｍＶ以下であることが好ましい。
【００３６】
なお、バースクリーン６の電位は、必ずしも上記範囲内におけるある一定の電位に維持される必要はなく、上記範囲内であれば変動してもよい。
【００３７】
このような構成の防汚・防食装置１では、直流電源装置１０が、バースクリーン６の電位を、陽極電極１２に対してマイナスの電位にする。これにより、陽極電極１２からバースクリーン６へ電流が流れ、海水が電気分解される。その結果、バースクリーン６の表面付近はアルカリ性雰囲気となり、海洋生物に対する忌避効果が得られ、バースクリーン６は防汚される。
【００３８】
また、バースクリーン６は、陰極側であり、しかも、電位制御装置１１により防食可能な電位に維持される。これにより、バースクリーン６は、陽極電極１２から電流が流れ込む陰極防食の状態に維持され、防食される。
【００３９】
このように、本実施の形態によると、バースクリーン６に防食用の塗膜（および導電性の塗膜）を塗布する必要はなく、金属面をそのまま海水に曝した状態で使用しても、バースクリーン６を防汚・防食することができる。
【００４０】
＜第２の実施の形態＞
図４は、発電所１００の取水路５の一部および本発明の第２の実施の形態による防汚・防食装置２の構成を示すブロック図である。第１の実施の形態と同じ構成要素には同じ符号を付し、その詳細な説明を省略する。
【００４１】
本実施の形態では、コンクリート製または鋼管製の取水路５の内壁面５１に、まず絶縁塗膜（図示略）が塗布され、この絶縁塗膜の上に導電塗膜５２および５３が塗布されている。これは、導電塗膜５２および５３に通電することにより、内壁面５１を防汚するための措置である。本実施の形態では、この内壁面５１を防汚するための導電性塗膜５２および５３が、第１の実施の形態における陽極端子１２に兼用される。
【００４２】
導電塗膜５２および５３は、図示しない部分で相互に絶縁され、両者は直流電源装置１０および極性切替装置１１によって異なる電位にされる。これにより、相対的に高い（プラス）電位の導電塗膜５２（または５３）から相対的に低い（マイナス）電位の導電塗膜５３（または５２）に、海水を介して電流が流れる。
【００４３】
防汚・防食装置２は、直流電源装置１０、極性切替装置２０、電位制御装置１１、および基準電極１３を有する。
【００４４】
直流電源装置１０の陽極端子および陰極端子は、それぞれリード線Ｌ５およびＬ６により極性切替装置２０に接続されている。また、直流電源装置１０の陰極端子は、リード線Ｌ７により電位制御装置１１に接続されている。極性切替装置２０の一方の端子はリード線Ｌ８より導電塗膜５２に接続され、他方の端子はリード線Ｌ９により導電塗膜５３に接続されている。電位制御装置１１の一方の端子はリード線Ｌ３により基準電極１３に接続され、他方の端子はリード線Ｌ４によりバースクリーン６に接続されている。
【００４５】
極性切替装置２０には、リード線Ｌ５およびＬ６を介して直流電源装置１０から直流電圧（直流電流）が与えられる。極性切替装置２０は、この直流電源装置１０から与えられた電流を、一定時間（たとえば２時間）ごとに極性を切り替えて導電塗膜５２および５３に与える。たとえば時刻Ｔから時刻（Ｔ＋２時間）までは、導電塗膜５２にプラス、導電塗膜５３にマイナスの電位がそれぞれ印加され、次の時刻（Ｔ＋２時間）から時刻（Ｔ＋４時間）までは、導電塗膜５２にマイナス、導電塗膜５３にプラスの電位がそれぞれ印加される。以後、これらの切替が繰り返される。陽極側の導電塗膜５２（５３）の電位は、たとえば＋１．２〜＋１．３Ｖにされ、陰極側の導電塗膜５３（５２）の電位は、たとえば−０．６〜−０．５Ｖにされる。
【００４６】
これにより、プラス側の導電塗膜５２（５３）の表面付近が酸性雰囲気となり、マイナス側の導電塗膜５３（５２）の表面付近がアルカリ性雰囲気となり、いずれの雰囲気も、海洋生物の忌避効果を有する。これにより、取水路５の内壁面５１の防汚が図られる。
【００４７】
電位制御装置１１は、基準電極１３に対して、前述した第１の実施の形態と同様の電位にバースクリーン６を維持する。これにより、バースクリーン６の防汚・防食が図られる。
【００４８】
このように本実施の形態では、取水路５の内壁面５１を防汚する導電塗膜５２および５３を陽極端子として兼用することにより、既存の設備を使用して、バースクリーン６の防汚・防食を図ることができる。これにより、第１の実施の形態における陽極電極１２を省略することができる。
【００４９】
＜第３の実施の形態＞
取水路５内に設けられる取水設備（たとえば、循環水ポンプ７のインペラ、ケーシング等の金属物）も、防汚・防食することができる。
【００５０】
図５は、循環水ポンプ７のインペラ７１およびケーシング７２の防汚・防食装置３の構成を示すブロック図である。第１の実施の形態および第２の実施の形態と同じ構成要素には同じ符号を付し、その詳細な説明を省略する。
【００５１】
循環水ポンプ７は、インペラ７１、ケーシング７２、およびモータＭを有する。インペラ７１は、モータＭの回転軸（または回転軸に取り付けられたギア（図示略））に取り付けられ、モータＭの回転に伴い回転する。インペラ７１が回転すると、取水路５の海水はケーシング７２に沿って循環水管５ｂ（図１参照）に流れ込み、復水器５ｃ（図１参照）に送られる。
【００５２】
防汚・防食装置３は、直流電源装置１０、極性切替装置２０、電位制御装置１１、および基準電極１３を有する。直流電源装置１０は、第２の実施の形態と同様にして、極性切替装置２０および電位制御装置１１に接続されている。極性切替装置２０も、第２の実施の形態と同様にして、取水路５の内壁面５１に塗布された導電塗膜５２および５３に接続されている。
【００５３】
電位制御装置１１の一方の端子は基準電極１３に接続され、他方の端子はケーシング７２および導電ブラシ３０に接続されている。導電ブラシ３０は、インペラ７１およびケーシング７２を短絡させるために設けられ、これにより、両者を同時に防汚・防食することができる。
【００５４】
基準電極１３は、ケーシング７２またはインペラ７１の近傍に（たとえば１ｍｍ〜数ｍｍ程度の距離をおいて）、短絡しないように配置される。たとえば、基準電極１３はケーシング７２に絶縁物を挟んで取り付けられる。
【００５５】
本実施の形態では、第２の実施の形態と同様に、直流電源装置１０および極性切替装置２０により導電塗膜５２および５３に電流が通電されることによって、内壁面５１は防汚されている。また、この導電塗膜５２および５３が陽極端子として兼用されるとともに、ケーシング７２およびインペラ７１が、電位制御装置１１により、基準電極１３に対して第１の実施の形態で説明した電位にされる。これにより、ケーシング７２およびインペラ７１が防汚・防食される。その結果、ケーシング７２およびインペラ７１に防汚塗料を塗布することなく、これらを防汚・防食することができる。
【００５６】
なお、インペラ７１およびケーシング７２が異なる金属で構成されている場合には、インペラ７１およびケーシング７２の電位は、両金属の防食可能電位の重なる部分の電位とされる。たとえば、インペラ７２がオーステナイト系ステンレス鋼であり、ケーシング７２が炭素鋼である場合には、塩化銀の基準電極１３に対して、オーステナイト系ステンレス鋼の好ましい電圧範囲−１４００ｍＶ以上−６００ｍＶ以下と、炭素鋼の好ましい電圧範囲−１４００ｍＶ以上−７７０ｍＶ以下との重なる部分である−１４００ｍＶ以上−７７０ｍＶ以下とされる。
【００５７】
もちろん、インペラ７１またはケーシング７２に一方のみに電流を通電し、一方のみを防汚・防食することもできる。また、第１の実施の形態と同様にして、導電塗膜５２および５３を陽極電極として使用せずに、陽極電極１２を設けて防汚・防食を行うこともできる。
【００５８】
＜第４の実施の形態＞
さらに、ＬＮＧプラント設備（以下「本設備」と記す）の取水路に設けられるバースクリーンの防汚・防食に適用する実施の形態を説明する。
【００５９】
図６は、本設備２００の概略構成を示すブロック図である。また、図７は、本設備２００の取水路２０５の一部およびバースクリーン２０６を防汚・防食するための防汚・防食装置２の構成を示すブロック図である。第１の実施形態による防汚・防食装置と同じ作用効果を示すので詳細な説明は省略する。
【００６０】
本設備２００には、海水を取り込むための取水路２０５が設けられている。この取水路２０５の取水口付近には鋼製矢板２０８が設けられている。取水路２０５の内部には、取水流Ａの下流側に向かうにしたがいバースクリーン２０６、トラベルスクリーン２０９、および海水ポンプ２０７が設けられている。
【００６１】
バースクリーン２０６およびトラベルスクリーン２０９は、主として、海水中に含まれるゴミを塞き止め、ゴミが海水ポンプ２０７側に進入することを防止するものである。たとえば、バースクリーン２０６は、鋼（炭素鋼、合金鋼（ステンレス鋼等）、鋳鉄等）からなり、図３の概略斜視図に示したのと同様に、外径寸法が縦Ｈ＝１０ｍ、横Ｗ＝５ｍ、厚さ（奥行き）Ｄ＝０．２〜０．３ｍの直方体の形状を有し、その表裏両面に縦０．３ｍ、横０．１ｍ程度の貫通孔６０が複数個形成されている格子形状を有する。この格子形状により、海水中のゴミを塞き止める。
【００６２】
海水ポンプ２０７は、海水を汲み上げ、汲み上げた海水を海水配管２０５ｂを介してＬＮＧ気化器２０５ｃに送り込むものである。送り込まれた海水は、ＬＮＧの気化に使用された後、放水管２５０ｅを介して海洋に戻される。
【００６３】
＜他の実施の形態＞
これまで述べた実施の形態では、バースクリーンまたは循環水ポンプ（インペラおよびケーシング）の防汚・防食装置については説明したが、本発明は、バースクリーンや循環水ポンプだけでなく、取水路内に設置される他の金属構造物（たとえばロータリースクリーン５等）にも適用できる。
【００６４】
また、発電所の取水設備だけでなく、橋脚の海水に接する部分、石油掘削船の海水に接する部分等にも本発明を適用し、これらを防汚・防食することもできる。
【００６５】
さらに、これまで述べた実施の形態では、鋼、ステンレス鋼等の鉄を中心にした物質からなる金属構造物を例にとり説明したが、本発明は、銅（Ｃｕ）、チタン（Ｔｉ）等の他の物質からなる金属物にも適用可能である。
【００６６】
【発明の効果】
本発明によると、バースクリーン、ロータリースクリーン、循環水ポンプのインペラ、ケーシング等の海水中に置かれる金属物に、防汚・防食塗装を施すことなく、防汚・防食を行うことができる。
【図面の簡単な説明】
【図１】発電所の概略構成を示すブロック図である。
【図２】発電所の取水路の一部および本発明の第１の実施の形態による防汚・防食装置の構成を示すブロック図である。
【図３】バースクリーンの概略斜視図である。
【図４】発電所の取水路の一部および本発明の第２の実施の形態による防汚・防食装置２の構成を示すブロック図である。
【図５】本発明の第３の実施の形態による防汚・防食装置の構成を示すブロック図である。
【図６】ＬＮＧプラント設備の概略構成を示すブロック図である。
【図７】ＬＮＧプラント設備の一部および本発明の防汚・防食装置の構成を示すブロック図である。
【符号の説明】
５　取水路
５１　取水路の内壁面
５２、５３　導電塗膜
６　バースクリーン
７　循環水ポンプ
７１　インペラ
７２　ケーシング
１０　直流電源装置
１１　電位制御装置
１２　陽極電極
１３　基準電極
２０　極性切替装置
３０　導電ブラシ
Ｌ１〜Ｌ９　リード線
【図１】
2004002984.tif 000003
【図２】
2004002984.tif 000004
【図３】
2004002984.tif 000005
【図４】
2004002984.tif 000006
【図５】
2004002984.tif 000007
【図６】
2004002984.tif 000008
【図７】
2004002984.tif 000009